(57)【要約】      （修正有）【課題】様々な形状のカップ、あるいは、様々な材質のカップを保温することが可能なカップ保温装置、および、カップ保温装置を用いた飲食物保温方法を提供する。【解決手段】カップ保温装置１は、ヒーター８１と、第１カップＣ１を収容可能な第１凹部３１を有する保温部材２と、保温部材を支持する装置本体８とを具備する。装置本体と保温部材との間には、ガス保持空間ＳＰが設けられている。ガス保持空間内のガスは、ヒーターによって加熱される。ガス保持空間内のガスは、保温部材の壁部を介して第１カップ内の飲食物を保温する。【選択図】図２
2019154674.tif 000002
【特許請求の範囲】
【請求項１】
カップ保温装置を用いた飲食物保温方法であって、
前記カップ保温装置は、
ヒーターと、
第１カップを収容可能な第１凹部を有する保温部材と、
前記保温部材を支持する装置本体と
を具備し、
前記飲食物保温方法は、
前記第１カップの下側部分を前記第１凹部内に配置する配置工程と、
前記第１カップの底壁と、前記保温部材の底壁とが離間した状態で、前記第１カップ内の飲食物を保温する保温工程と
を具備する
飲食物保温方法。
【請求項２】
前記装置本体と前記保温部材との間には、ガス保持空間が設けられており、
前記保温工程は、
前記ガス保持空間内のガスを前記ヒーターにより加熱する工程と、
前記ガス保持空間内のガスが、前記保温部材の壁部を介して、前記第１カップ内の飲食物を保温する工程と
を有する
請求項１に記載の飲食物保温方法。
【請求項３】
前記保温部材は、第２カップを収容可能な第２凹部を備え、
前記ガス保持空間内のガスは、前記保温部材の壁部を介して、前記第１カップ内の飲食物と、前記第２カップ内の飲食物とを同時に保温する
請求項２に記載の飲食物保温方法。
【請求項４】
ヒーターと、
第１カップを収容可能な第１凹部を有する保温部材と、
前記保温部材を支持する装置本体と
を具備し、
前記装置本体と前記保温部材との間には、ガス保持空間が設けられており、
前記ガス保持空間内のガスは、前記ヒーターによって加熱され、
前記ガス保持空間内のガスは、前記保温部材の壁部を介して前記第１カップ内の飲食物を保温する
カップ保温装置。
【請求項５】
前記保温部材の上方に配置される第１アタッチメント部材を更に具備し、
前記第１アタッチメント部材は、
前記第１カップを支持する第１支持部と、
前記第１カップが挿入される第１挿入孔と
を具備する
請求項４に記載のカップ保温装置。
【請求項６】
前記ガス保持空間は、前記装置本体の筐体部と前記保温部材とによって囲まれた空間であり、
前記保温部材は、前記筐体部の開口を塞ぐ蓋部材として機能する
請求項４または５に記載のカップ保温装置。
【発明の詳細な説明】
【技術分野】
【０００１】
本発明は、カップ保温装置を用いた飲食物保温方法、および、カップ保温装置に関する。
【背景技術】
【０００２】
豚汁、味噌汁、スープ、おでん等のように温かい飲食物を収容するカップが知られている。当該カップ内の飲食物の温度は時間の経過とともに低下する。
【０００３】
関連する技術として、特許文献１には、カップウォーマーが開示されている。特許文献１に記載のカップウォーマーは、カップの側面に接触する側面ヒーターと、カップの底面に接触する底面ヒーターとを備える。
【先行技術文献】
【特許文献】
【０００４】
【特許文献１】特開２０１６−１６０３７号公報
【発明の概要】
【発明が解決しようとする課題】
【０００５】
特許文献１に記載のカップウォーマーを用いると、カップ内の飲食物を保温することができる。しかし、特許文献１に記載のカップウォーマーでは、カップの側面を側面ヒーターに接触させ、カップの底面を底面ヒーターに接触させる必要があるため、カップウォーマーを様々な形状のカップ、あるいは、様々な材質のカップを保温するために用いることができない。
【０００６】
そこで、本発明の目的は、様々な形状のカップ、あるいは、様々な材質のカップを保温することが可能なカップ保温装置、および、カップ保温装置を用いた飲食物保温方法を提供することである。
【課題を解決するための手段】
【０００７】
以下に、発明を実施するための形態で使用される番号・符号を用いて、課題を解決するための手段を説明する。これらの番号・符号は、特許請求の範囲の記載と発明を実施するための形態との対応関係の一例を示すために、参考として、括弧付きで付加されたものである。よって、括弧付きの記載により、特許請求の範囲は、限定的に解釈されるべきではない。
【０００８】
いくつかの実施形態における飲食物保温方法は、カップ保温装置を用いた飲食物保温方法である。前記カップ保温装置（１）は、ヒーター（８１）と、第１カップ（Ｃ１）を収容可能な第１凹部（３１）を有する保温部材（２）と、前記保温部材（２）を支持する装置本体（８）とを具備する。前記飲食物保温方法は、前記第１カップ（Ｃ１）の下側部分（Ｃｔ）を前記第１凹部（３１）内に配置する配置工程と、前記第１カップ（Ｃ１）の底壁（Ｃｂ）と、前記保温部材（２）の底壁（３１ｂ）とが離間した状態で、前記第１カップ（Ｃ１）内の飲食物を保温する保温工程とを具備する。
【０００９】
上記飲食物保温方法において、前記装置本体（８）と前記保温部材（２）との間には、ガス保持空間（ＳＰ）が設けられていてもよい。前記保温工程は、前記ガス保持空間（ＳＰ）内のガスを前記ヒーター（８１）により加熱する工程と、前記ガス保持空間（ＳＰ）内のガスが、前記保温部材（２）の壁部（３１ｂ、３１ｓ）を介して、前記第１カップ（Ｃ１）内の飲食物を保温する工程とを有していてもよい。
【００１０】
上記飲食物保温方法において、前記保温部材（２）は、第２カップ（Ｃ２）を収容可能な第２凹部（３２）を備えていてもよい。前記ガス保持空間（ＳＰ）内のガスは、前記保温部材（２）の壁部（３１ｂ、３１ｓ、３２ｂ、３２ｓ）を介して、前記第１カップ（Ｃ１）内の飲食物と、前記第２カップ（Ｃ２）内の飲食物とを同時に保温してもよい。
【００１１】
いくつかの実施形態におけるカップ保温装置は、ヒーター（８１）と、第１カップ（Ｃ１）を収容可能な第１凹部（３１）を有する保温部材（２）と、前記保温部材（２）を支持する装置本体（８）とを具備する。前記装置本体（８）と前記保温部材（２）との間には、ガス保持空間（ＳＰ）が設けられている。前記ガス保持空間（ＳＰ）内のガスは、前記ヒーター（８１）によって加熱される。また、前記ガス保持空間（ＳＰ）内のガスは、前記保温部材（２）の壁部（３１ｂ、３１ｓ）を介して前記第１カップ（Ｃ１）内の飲食物を保温する。
【００１２】
上記カップ保温装置は、前記保温部材（２）の上方に配置される第１アタッチメント部材（４ａ）を更に具備していてもよい。前記第１アタッチメント部材（４ａ）は、前記第１カップ（Ｃ１）を支持する第１支持部（４１）と、前記第１カップ（Ｃ１）が挿入される第１挿入孔（４１ｈ）とを具備していてもよい。
【００１３】
上記カップ保温装置において、前記ガス保持空間（ＳＰ）は、前記装置本体（８）の筐体部（８６）と前記保温部材（２）とによって囲まれた空間であってもよい。また、前記保温部材（２）は、前記筐体部（８６）の開口（８６ｈ）を塞ぐ蓋部材として機能してもよい。
【発明の効果】
【００１４】
本発明により、様々な形状のカップ、あるいは、様々な材質のカップを保温することが可能なカップ保温装置、および、カップ保温装置を用いた飲食物保温方法を提供することができる。
【図面の簡単な説明】
【００１５】
【図１】図１は、実施形態におけるカップ保温装置を模式的に示す概略縦断面図である。
【図２】図２は、実施形態におけるカップ保温装置を模式的に示す概略縦断面図である。
【図３】図３は、実施形態における飲食物の保温方法の一例を示すフローチャートである。
【図４】図４は、飲食物の保温方法の一工程を示す概略縦断面図である。
【図５】図５は、飲食物の保温方法の一工程を示す概略縦断面図である。
【図６】図６は、実施形態におけるカップ保温装置を模式的に示す概略斜視図である。
【図７】図７は、実施形態におけるカップ保温装置を模式的に示す概略縦断面図である。
【図８】図８は、装置本体を模式的に示す概略縦断面図である。
【図９】図９は、保温部材を模式的に示す概略斜視図である。
【図１０】図１０は、保温部材を模式的に示す概略３面図である。
【図１１】図１１は、第１アタッチメント部材を模式的に示す概略３面図である。
【図１２】図１２は、第２アタッチメント部材を模式的に示す概略３面図である。
【図１３】図１３は、実施形態におけるカップ保温装置を模式的に示す概略縦断面図である。
【発明を実施するための形態】
【００１６】
以下、実施形態におけるカップ保温装置１、および、カップ保温装置１を用いた飲食物の保温方法について、図面を参照して説明する。なお、以下の説明において、同じ機能を有する部材、部位については、同一の符号が付され、同一の符号が付されている部材、部位について、繰り返しの説明は省略される。
【００１７】
（実施形態）
図１および図２を参照して、実施形態におけるカップ保温装置１の概要について説明する。図１および図２は、実施形態におけるカップ保温装置１を模式的に示す概略縦断面図である。なお、図１には、カップ保温装置１にカップＣが配置される前の状態が示され、図２には、カップ保温装置１にカップＣが配置された後の状態が示されている。
【００１８】
図１に示されるように、カップ保温装置１は、ヒーター８１と、保温部材２と、保温部材２を支持する装置本体８とを具備する。カップ保温装置１は、アタッチメント部材４を備えていてもよい。
【００１９】
ヒーター８１は、カップ保温装置１の熱源として機能する。図２に記載の例では、ヒーター８１は、カップＣ（例えば、第１カップＣ１）に直接接触していない。このため、カップ保温装置１は、耐熱温度の低い材料によって形成されたカップＣを保温することも可能である。
【００２０】
保温部材２は、第１カップＣ１を収容可能な第１凹部３１を備える。より具体的には、保温部材２は、第１凹部３１の底部を規定する底壁３１ｂと、第１凹部３１の側部を規定する側壁３１ｓとを備える。
【００２１】
保温部材２の底壁３１ｂは、ヒーター８１からの距離が相対的に近く、保温部材２の中でも相対的に温度が高い部分である。図２に記載の例では、第１カップＣ１の底壁は、保温部材２の底壁３１ｂ（相対的に温度の高い部分）に接触しておらず、底壁３１ｂから離間している。このため、カップ保温装置１は、耐熱温度の低い材料によって形成された第１カップＣ１を保温することも可能である。
【００２２】
保温部材２は、第２カップＣ２を収容可能な第２凹部３２を備えることが好ましい。より具体的には、保温部材２は、第２凹部３２の底部を規定する底壁３２ｂと、第２凹部３２の側部を規定する側壁３２ｓとを備えることが好ましい。
【００２３】
保温部材２が有するカップ収容凹部３の数、換言すれば、保温部材２が収容可能なカップＣの数は、１個または２個であってもよく、３個以上であってもよい。
【００２４】
図２に記載の例では、保温部材２は、装置本体８によって支持されている。また、図２に記載の例では、装置本体８と保温部材２との間にガス保持空間ＳＰが設けられている。カップ保温装置１の作動時において、ガス保持空間ＳＰ内のガス（より具体的には、空気）の温度は、例えば、摂氏５０度以上摂氏１２０度以下、摂氏５０度以上摂氏１００度以下、あるいは、摂氏５０度以上摂氏８０度以下に維持される。
【００２５】
ガス保持空間ＳＰは、装置本体８と保温部材２とによって囲まれた空間である。ガス保持空間ＳＰは、密閉空間であることが好ましい。なお、本明細書において、密閉空間には、厳密な密閉空間に加え、実質的な密閉空間も包含される。よって、カップ保温装置１の作動開始あるいは作動停止に伴い、密閉空間（ガス保持空間ＳＰ）内のガスが膨張または収縮して、装置本体８と保温部材２との間の隙間から、少量の空気が密閉空間から漏出、または、少量の空気が密閉空間に流入することは許容される。
【００２６】
図２に記載の例において、ガス保持空間ＳＰ内のガス（より具体的には、空気）は、ヒーター８１によって加熱され、ガス保持空間ＳＰ内のガスは、保温部材２の壁部（より具体的には、底壁３１ｂおよび側壁３１ｓ）を介して、第１カップＣ１内の飲食物を保温する。図２に記載の例では、ヒーター８１が保温部材２に直接接触していないため、保温部材２が過度に加熱されることがない。よって、仮に、第１カップＣ１が耐熱温度の低い材料によって形成され、かつ、第１カップＣ１が保温部材２に接触した場合であっても、第１カップＣ１が熱変形することがない。ただし、実施形態には、ヒーター８１が保温部材２に取り付けられた態様（例えば、ヒーター８１が保温部材２の裏面、換言すれば、カップ収容凹部３が設けられていない側の面に取り付けられた態様）も包含される。また、図２に記載の例では、ヒーター８１がガス保持空間ＳＰの外に配置されているが、ヒーター８１は、ガス保持空間ＳＰ内に配置されてもよい。
【００２７】
また、図２に記載の例では、ガス保持空間ＳＰと、第１凹部３１内の空間とは、互いに隔離されている。このため、第１凹部３１内に第１カップＣ１が配置されていない場合であっても、第１凹部３１からの熱の放出が少量にとどまる。換言すれば、保温部材２が備える複数のカップ収容凹部３のいずれかにカップが配置されていない状態で、カップ保温装置１が作動状態にされる場合であっても、熱エネルギーのロスが少なくて済む。また、空きのカップ収容凹部３が存在するか否かに関わらず、ガス保持空間ＳＰ内のガスの温度が維持される。このため、空きのカップ収容凹部３にカップを配置すれば、速やかに、カップ内の飲食物が保温される。
【００２８】
ガス保持空間ＳＰの体積は、例えば、保温部材２が備えるカップ収容凹部３の体積の合計の１／５倍以上、１／２倍以上、１倍以上、あるいは、１．５倍以上である。なお、図２に記載の例では、ガス保持空間ＳＰは、１つの区画によって構成された１つの空間であるが、ガス保持空間ＳＰは、複数の区画に分割された複数の空間であってもよい。この場合、ガス保持空間ＳＰの体積は、複数の区画に分割された複数の空間の体積の合計を意味する。なお、ガス保持空間ＳＰが複数の区画に分割されている場合には、各区画内のガス（より具体的には、空気）の温度を独立して設定可能であるようにしてもよい。
【００２９】
空きのカップ収容凹部３が存在する場合の熱エネルギーのロスを少なくする観点から、保温部材２（より具体的には、カップ収容凹部３を規定する壁部、例えば、底壁３１ｂ、側壁３１ｓ）は、熱伝導率の低い材料、例えば、非金属材料、樹脂材料等によって構成されていてもよい。保温部材２（より具体的には、カップ収容凹部３を規定する壁部、例えば、底壁３１ｂ、側壁３１ｓ）の熱伝導率は、例えば、２５０Ｗ／ｍ・Ｋ以下、１００Ｗ／ｍ・Ｋ以下、あるいは、１０Ｗ／ｍ・Ｋ以下である。
【００３０】
図２に記載の例では、カップ保温装置１は、第１アタッチメント部材４ａを備える。図２に記載の例では、第１アタッチメント部材４ａは、保温部材２の上方に配置されている。第１アタッチメント部材４ａは、保温部材２あるいは装置本体８に対して着脱自在であることが好ましい。
【００３１】
図１に記載の例では、第１アタッチメント部材４ａは、第１カップＣ１を支持する第１支持部４１と、第１カップＣ１が挿入される第１挿入孔４１ｈとを備える。図１に記載の例では、第１支持部４１は、第１挿入孔４１ｈを規定する円形状の縁部である。図２に記載の例では、第１支持部４１が、第１カップＣ１の側壁に接触することにより、第１アタッチメント部材４ａが、第１カップＣ１を支持している。
【００３２】
図１に記載の例では、第１アタッチメント部材４ａは、第２カップＣ２を支持する第２支持部４２と、第２カップＣ２が挿入される第２挿入孔４２ｈとを備える。図１に記載の例では、第２支持部４２は、第２挿入孔４２ｈを規定する円形状の縁部である。図２に記載の例では、第２支持部４２が、第２カップＣ２の側壁に接触することにより、第１アタッチメント部材４ａが、第２カップＣ２を支持している。
【００３３】
第１アタッチメント部材４ａが備えるカップ挿入孔４ｈの数は、保温部材２が備えるカップ収容凹部３の数と等しいことが好ましい。また、各カップ挿入孔４ｈの中心軸は、対応するカップ収容凹部３の中心軸と一致していることが好ましい。
【００３４】
図２に記載の例では、カップＣ（例えば、第１カップＣ１）が、第１アタッチメント部材４ａによって支持される。カップＣのサイズが変更される場合には、第１アタッチメント部材４ａを他のアタッチメント部材に交換すればよい。よって、カップの種類（例えば、カップの大きさ）に対応して、複数種類の保温部材２を用意する必要がない。ただし、実施形態は、カップの種類に対応して、複数種類の保温部材２を用意する態様を排除するものではない。
【００３５】
図２に記載の例では、カップＣ（例えば、第１カップＣ１）の壁部と、保温部材２の壁部（側壁３１ｓおよび底壁３１ｂ）とが非接触である。この場合、カップＣは、カップ収容凹部３内の空気（換言すれば、保温部材２とカップＣとの間の空間内の空気）による熱伝導と、保温部材２の壁部からの輻射熱とによって保温される。なお、実施形態において、カップＣの壁部と、保温部材２の側壁３１ｓの一部とが接触していても構わない。この場合、カップＣは、保温部材２の側壁３１ｓからカップＣの側壁への直接的な熱伝導によっても保温されることとなる。
【００３６】
図１に記載の例では、第１挿入孔４１ｈの直径Ｄ１は、第１凹部３１の開口部の直径Ｄ２よりも小さい。このため、カップ保温装置１は、第１カップＣ１のサイズが小さい場合であっても、第１カップＣ１の底部を保温部材２の底壁３１ｂに接触させることなく、第１カップＣ１を保温することが可能である。なお、サイズが大きな第１カップＣ１を保温する場合には、第１アタッチメント部材４ａを、第１挿入孔４１ｈの孔径が大きな他のアタッチメント部材と交換するか、あるいは、保温部材２から第１アタッチメント部材４ａを取り外した状態でカップ保温装置１を使用すればよい。
【００３７】
図２に記載の例では、第１アタッチメント部材４ａの上面は露出している。よって、火傷防止の観点から、カップ保温装置１の作動時において、第１アタッチメント部材４ａの温度は、例えば、摂氏５０度以下に維持される。第１アタッチメント部材４ａの温度の上昇を抑制する観点から、第１アタッチメント部材４ａは、樹脂製であることが好ましい。なお、第１アタッチメント部材４ａに接触する部分（例えば、保温部材２の上面）の温度が十分に低い場合には、第１アタッチメント部材４ａの材質は任意である。
【００３８】
（飲食物の保温方法）
図３乃至図５を参照して、実施形態における飲食物の保温方法について説明する。図３は、実施形態における飲食物の保温方法の一例を示すフローチャートである。図４および図５は、飲食物の保温方法の一工程を示す概略縦断面図である。
【００３９】
実施形態における飲食物の保温方法は、カップ保温装置を用いた飲食物の保温方法である。飲食物は、例えば、豚汁、味噌汁、スープ、おでん等である。実施形態における飲食物の保温方法において用いられるカップ保温装置は、ヒーター８１と、第１カップＣ１を収容可能な第１凹部３１を有する保温部材２と、保温部材２を支持する装置本体８とを具備する。飲食物の保温方法において用いられるカップ保温装置は、図１、図２を参照して説明された上述のカップ保温装置１であってもよいし、他のカップ保温装置であってもよい。
【００４０】
第１ステップＳＴ１において、第１カップＣ１の下側部分Ｃｔが第１凹部３１内に配置される。第１ステップＳＴ１は、第１カップＣ１をカップ保温装置に配置する配置工程である。図４は、第１ステップＳＴ１を実行中の状態を示す。
【００４１】
図４に記載の例では、第１カップＣ１の下側部分Ｃｔは、第１アタッチメント部材４ａの第１挿入孔４１ｈを介して、第１凹部３１内に挿入される。図４に記載の例では、第１ステップＳＴ１の実行後、第１カップＣ１は、第１アタッチメント部材４ａの第１支持部４１によって支持される。図４に記載の例では、第１カップＣ１は、下方に向かうにつれて外径が小さくなるテーパ状の側壁Ｃｓを備える。よって、テーパ状の側壁Ｃｓの外径が第１挿入孔４１ｈの孔径に一致する部分で、第１カップＣ１は、第１支持部４１によって支持される。
【００４２】
第２ステップＳＴ２において、第１カップＣ１内の飲食物が保温される。第２ステップＳＴ２は、保温工程である。図５に示されるように、第２ステップＳＴ２において、第１カップＣ１の底壁Ｃｂと、保温部材２の底壁３１ｂとが離間した状態で、第１カップＣ１内の飲食物が保温される。
【００４３】
保温部材２の底壁３１ｂは、保温部材２の中でも相対的に温度が高い部分である。しかし、実施形態における飲食物の保温方法では、保温部材２の底壁３１ｂが、第１カップＣ１の底壁（相対的に温度の高い部分）から離間している。このため、カップ保温装置１は、耐熱温度の低い材料によって形成された第１カップＣ１を保温することも可能である。例えば、第１カップＣ１は、耐熱温度が摂氏７０度〜９０度程度の容器（例えば、発泡ポリスチレン容器）であってもよい。もちろん、第１カップＣ１は、耐熱温度が摂氏１００度以上の容器であっても構わない。
【００４４】
図５に示されるように、装置本体８と保温部材２との間には、ガス保持空間ＳＰ（例えば、密閉空間）が設けられていることが好ましい。また、上述の保温工程は、ガス保持空間ＳＰ内のガス（より具体的には、空気）をヒーター８１により加熱する工程と、ガス保持空間ＳＰ内のガスが、保温部材２の壁部を介して、第１カップＣ１内の飲食物を保温する工程とを備えていることが好ましい。なお、保温部材２の壁部が、ガス保持空間ＳＰ内のガスを介して間接的に加熱される場合には、保温部材２が過度に加熱されることがない。また、保温部材２の壁部が、ガス保持空間ＳＰ内のガスを介して間接的に加熱される場合には、カップ収容凹部３を規定する壁部の温度が均一に維持されやすい。
【００４５】
第２ステップＳＴ２では、ガス保持空間ＳＰ内のガスが、保温部材２の壁部、保温部材２と第１カップＣ１との間の空間ＳＰ２内の空気、および、第１カップＣ１の壁部を介して、第１カップＣ１内の飲食物を保温するようにしてもよい。代替的に、あるいは、付加的に、第２ステップＳＴ２では、保温部材２からの輻射熱により、第１カップＣ１の壁部および／または第１カップＣ１内の飲食物が保温されるようにしてもよい。
【００４６】
なお、図５に記載の例では、保温部材２と第１カップＣ１との間の空間ＳＰ２は、保温部材２と、第１カップＣ１と、第１アタッチメント部材４ａとによって囲まれた密閉空間である。よって、図５に記載の例では、空間ＳＰ２が密閉空間であるため、第１カップＣ１に対する保温効率がよい。
【００４７】
図５に記載の例では、保温部材２は、第２カップＣ２を収容可能な第２凹部３２を備える。この場合、ガス保持空間ＳＰ内のガスは、保温部材２の壁部を介して、第１カップＣ１内の飲食物と、第２カップＣ２内の飲食物とを同時に保温することが可能である。図５に記載の例では、ガス保持空間ＳＰ内の空気を利用して保温を行う。このため、複数のカップＣを保温するに際して、カップ収容凹部３のそれぞれに対応して、独立して、ヒーター８１を設ける必要がない。
【００４８】
（カップ保温装置１の構成要素）
図６乃至図１３を参照して、実施形態におけるカップ保温装置１において採用可能な構成要素の一例についてより詳細に説明する。図６は、実施形態におけるカップ保温装置１を模式的に示す概略斜視図である。図７は、実施形態におけるカップ保温装置１を模式的に示す概略縦断面図である。図８は、装置本体８を模式的に示す概略縦断面図である。なお、図８において、筐体部８６の壁厚は、実際の壁厚よりも大きめに記載されている。図９は、保温部材２を模式的に示す概略斜視図である。図１０は、保温部材２を模式的に示す概略３面図である。図１０の上側には平面図が記載され、図１０の右下側には正面図が記載され、図１０の左下側には側面図が記載されている。図１１は、第１アタッチメント部材４ａを模式的に示す概略３面図である。図１２は、第２アタッチメント部材４ｂを模式的に示す概略３面図である。図１１および図１２の左上側には平面図が記載され、図１１および図１２の右上側には側面図が記載され、図１１および図１２の下側には正面図が記載されている。図１３は、実施形態におけるカップ保温装置１を模式的に示す概略縦断面図である。
【００４９】
（装置本体８）
図６に記載の例では、装置本体８は、電源コード８２と、電源スイッチ８３と、温度操作部８４と、制御装置８５とを備える。
【００５０】
電源コード８２は、制御装置８５および上述のヒーター８１に電力を供給する。電源スイッチ８３は、カップ保温装置１の作動状態と非作動状態とを切り替える。温度操作部８４は、カップＣの保温温度を調整するための操作部である。制御装置８５は、温度操作部８４の操作、および、カップ保温装置１が有する温度センサ８７からの信号に基づいて、ヒーター８１に供給される電力を制御する。なお、温度センサ８７は、ヒーター８１の近傍か、あるいは、ガス保持空間ＳＰ内に配置されることが好ましい。
【００５１】
温度操作部８４は、カップＣの保温温度を無段階的に（換言すれば、連続的に）調整可能な操作部であってもよいし、カップＣの保温温度を段階的に（換言すれば、非連続的に）温度設定可能な操作部であってもよい。温度操作部８４が段階的に温度設定可能な操作部である場合には、温度操作部８４の各設定温度と、カップ収容凹部３に配置されるカップの材質とが対応付けられていることが好ましい。例えば、カップの材質が、発泡ポリスチレンである場合には、カップの保温温度は、摂氏８０度以下の特定の温度に設定されるようにしてもよい。
【００５２】
図７に記載の例では、装置本体８は、保温部材２の一部（特に、底壁３１ｂ、３２ｂ、および、側壁３１ｓ、３２ｓの下側部分）が挿入される筐体部８６を備える。筐体部８６には、ヒーター８１が接触配置されることが好ましい。図７に記載の例では、筐体部８６の底面に、ヒーター８１が配置されている。
【００５３】
図７に記載の例では、ヒーター８１は、保温部材２の下方に配置されている。ヒーター８１が、保温部材２の下方に配置されることにより、ヒーター８１は、ヒーター上方の保温部材２を効率的に加熱することができる。ヒーター８１は、例えば、装置本体８の下側部分において、水平面に平行に配置される。ヒーター８１は、例えば、面状のヒーターである（なお、面状のヒーターには、線状のヒーターが平面内に２次元的に配置された態様も包含される。）。
【００５４】
筐体部８６は、例えば、金属製である。筐体部８６が金属製である場合には、ヒーター８１によって加熱された金属製の筐体部８６により、ガス保持空間ＳＰ内のガスを効率的に加熱することが可能である。代替的に筐体部８６は、樹脂製であってもよい。この場合、筐体部８６が過度に熱くなることが抑制される。なお、筐体部８６は、実施形態において必須の構成ではなく、筐体部８６は省略されても構わない。
【００５５】
図８に記載の例では、筐体部８６は、カップ収容凹部３の数と同数の収容凹部受け入れ開口８６ｈを備える。図８に記載の例では、収容凹部受け入れ開口８６ｈは、筐体部８６の頂壁８６ｕに形成されている。
【００５６】
（保温部材２）
図７に記載の例では、保温部材２は、筐体部８６の収容凹部受け入れ開口８６ｈを塞ぐ蓋部材として機能する。また、筐体部８６と、保温部材２（蓋部材）とによって、ガス保持空間ＳＰが形成される。換言すれば、図７に記載の例では、ガス保持空間ＳＰは、筐体部８６と保温部材２とによって囲まれた空間である。
【００５７】
図９に記載の例では、保温部材２は、頂壁２２と、頂壁２２から下方に向けて突出する突出部２３とを備える。突出部２３は、カップ収容凹部３を規定する側壁３１ｓと底壁３１ｂとを含む。突出部２３は、筐体部８６の収容凹部受け入れ開口８６ｈを介して筐体部８６内に挿入される。突出部２３の大部分が筐体部８６内に挿入されるため、突出部２３の温度は、ガス保持空間ＳＰ内のガスの温度と略等しくなる。
【００５８】
突出部２３は、突出部２３の空洞（換言すれば、カップ収容凹部３）にカップを収容する収容部としての機能と、収容されたカップＣを保温する保温部としての機能と、ガス保持空間ＳＰからカップ収容凹部３に向けてガスが散逸するのを防ぐ隔離壁としての機能とを有する。
【００５９】
図９に記載の例では、保温部材２は、６個の突出部２３を有し、６個のカップＣを受け入れ可能である。しかし、保温部材２が有する突出部２３の数（換言すれば、カップ収容凹部３の数）は、６個に限定されない。ただし、飲食物入りのカップＣをお店で販売する観点から、保温部材２が有する突出部２３の数（換言すれば、カップ収容凹部３の数）は、複数個、例えば、２個以上、４個以上、あるいは、６個以上であることが好ましい。
【００６０】
突出部２３は、例えば、樹脂製である。樹脂は、輻射熱を放出しやすい材料である。よって、突出部２３が樹脂製である場合には、カップＣ内の飲食物が突出部２３からの輻射熱によって効果的に保温される。
【００６１】
突出部２３と頂壁２２とは、一体成形により形成されることが好ましい。また、頂壁２２と後述の外壁２５とは一体成形により形成されることが好ましい。
【００６２】
図７に示されるように、保温部材２は、筐体部８６の側壁を覆う外壁２５を備えていてもよい。図７に記載の例では、外壁２５は、頂壁２２から下方に向けて延在している。外壁２５は、筐体部８６を覆うことにより筐体部８６からの熱の散逸を防ぐ部材として機能するとともに、店員または消費者が相対的に高温である筐体部８６に直接触れることを防止する保護部材として機能する。図９に記載の例では、外壁２５は、正面側外壁２５ａと、背面側外壁２５ｂと、側面側外壁２５ｃとを備える。２つの側面側外壁２５ｃのうちの一方には切り欠き部２６が形成され、当該切り欠き部２６は、装置本体８の一部（より具体的には、制御装置８５）を受け入れ可能である。
【００６３】
図９に記載の例では、保温部材２（より具体的には、外壁２５）は、保温部材２が下方に位置ずれするのを抑制するストッパ部材２８を備える。ストッパ部材２８は、装置本体８側の係合部と接触することにより、保温部材２が下方に位置ずれするのを抑制する。
【００６４】
図１０に記載の例では、突出部２３の形状は、下方に向かうにつれて外径が小さくなる中空の円錐台形状である。また、カップ収容凹部３の形状は、下方に向けて外径が小さくなる円錐台形状である。この場合、保温部材２は、下方に向けて外径が小さくなるテーパ側壁を有するカップＣを好適に保温することができる。代替的に、突出部２３の形状は、下方に向かうにつれて外径が変化しない有底円筒形状であってもよい。
【００６５】
図１０に記載の例では、複数のカップ収容凹部３の形状および大きさは、全て等しい。代替的に、保温部材２が備える第１凹部３１（換言すれば、カップ収容凹部３のうちの一つ）の形状および／または大きさは、保温部材２が備える第２凹部３２（換言すれば、カップ収容凹部３のうちの他の一つ）の形状および／または大きさと異なっていても構わない。
【００６６】
（アタッチメント部材４）
図１１に記載の例では、第１アタッチメント部材４ａは、カップを支持する支持部（４１、４２、・・・）と、カップが挿入される挿入孔（４１ｈ、４２ｈ、・・・）とを備える。挿入孔（４１ｈ、４２ｈ、・・・）の直径は、例えば、８５ｍｍ程度（８０ｍｍ以上９０ｍｍ未満）である。挿入孔を規定する環状縁面（第１アタッチメント部材４ａの内周面）の上側部分Ｓは、縦断面において、下方に向かうにつれて挿入孔の径内方向に向かう湾曲面であることが好ましい。環状縁面の上側部分Ｓが湾曲面であることにより、カップＣを挿入孔（４１ｈ、４２ｈ、・・・）に円滑に挿入することができる。また、環状縁面が、カップＣの側壁に食い込むことが抑制される。また、第１アタッチメント部材４ａの壁厚は、保温部材２の壁厚よりも大きいことが好ましい。第１アタッチメント部材４ａの壁厚が大きいことにより、第１アタッチメント部材４ａの剛性が高くなり、また、挿入孔（４１ｈ、４２ｈ、・・・）を規定する環状縁面がカップＣの側壁に食い込むことが抑制される。
【００６７】
第１アタッチメント部材４ａは、保温部材２の頂壁２２上に載置される。第１アタッチメント部材４ａは、例えば、平板状の部材である。第１アタッチメント部材４ａが平板状の部材である場合には、第１アタッチメント部材４ａの製造が容易である。第１アタッチメント部材４ａには、保温部材２に対する位置ずれを防止する係合部（保温部材２と係合する係合部）が設けられていてもよい。
【００６８】
図１１に記載の例では、複数の挿入孔（４１ｈ、４２ｈ、・・・）の大きさは、全て等しい。代替的に、第１アタッチメント部材４ａが備える第１挿入孔４１ｈ（換言すれば、挿入孔のうちの一つ）の大きさは、第１アタッチメント部材４ａが備える第２挿入孔４２ｈ（換言すれば、挿入孔のうちの他の一つ）の大きさと異なっていても構わない。
【００６９】
カップ保温装置１は、第１アタッチメント部材４ａに代えて、あるいは、第１アタッチメント部材４ａに加えて、第２アタッチメント部材４ｂを備えていてもよい。第２アタッチメント部材４ｂは、カップが挿入される挿入孔（４１ｈ、４２ｈ、・・・）の直径が、第１アタッチメント部材４ａの挿入孔（４１ｈ、４２ｈ、・・・）の直径と異なる点を除き、第１アタッチメント部材４ａと同様の部材である。
【００７０】
図１２に記載の例において、第２アタッチメント部材４ｂの挿入孔（４１ｈ、４２ｈ、・・・）の直径は、例えば、９０ｍｍ程度（８５ｍｍ以上９５ｍｍ未満）である。第２アタッチメント部材４ｂの挿入孔（４１ｈ、４２ｈ、・・・）の直径は、保温部材２のカップ収容凹部３の開口部の直径Ｄ２（図１３を参照。）よりも小さくてもよいし、当該開口部の直径Ｄ２と略等しくてもよい。
【００７１】
図１３に記載の例では、第２アタッチメント部材４ｂの挿入孔の直径は、保温部材２のカップ収容凹部３の開口部の直径と略等しい。このため、第２アタッチメント部材４ｂによって支持されたカップＣ（例えば、第１カップＣ１）の側壁の一部が、保温部材２の壁部と接触している。
【００７２】
カップ保温装置１がアタッチメント部材４を備える場合には、適切なアタッチメント部材４を選択するだけで（あるいは、適切なアタッチメント部材４に交換するだけで）、様々なサイズのカップの保温に柔軟に対応することができる。
【００７３】
本発明は上記各実施形態に限定されず、本発明の技術思想の範囲内において、各実施形態は適宜変形又は変更され得ることは明らかである。また、各実施形態で用いられる種々の技術は、技術的矛盾が生じない限り、他の実施形態にも適用可能である。さらに、各実施形態における任意付加的な構成は、適宜省略可能である。
【符号の説明】
【００７４】
１      ：カップ保温装置
２      ：保温部材
３      ：カップ収容凹部
４      ：アタッチメント部材
４ａ    ：第１アタッチメント部材
４ｂ    ：第２アタッチメント部材
４ｈ    ：カップ挿入孔
８      ：装置本体
２２    ：頂壁
２３    ：突出部
２５    ：外壁
２５ａ  ：正面側外壁
２５ｂ  ：背面側外壁
２５ｃ  ：側面側外壁
２６    ：切り欠き部
２８    ：ストッパ部材
３１    ：第１凹部
３１ｂ  ：底壁
３１ｓ  ：側壁
３２    ：第２凹部
３２ｂ  ：底壁
３２ｓ  ：側壁
４１    ：第１支持部
４１ｈ  ：第１挿入孔
４２    ：第２支持部
４２ｈ  ：第２挿入孔
８１    ：ヒーター
８２    ：電源コード
８３    ：電源スイッチ
８４    ：温度操作部
８５    ：制御装置
８６    ：筐体部
８６ｈ  ：収容凹部受け入れ開口
８６ｕ  ：頂壁
８７    ：温度センサ
Ｃ      ：カップ
Ｃ１    ：第１カップ
Ｃ２    ：第２カップ
Ｃｂ    ：底壁
Ｃｓ    ：側壁
Ｃｔ    ：下側部分
Ｓ      ：上側部分
ＳＰ    ：ガス保持空間
【図１】
2019154674.tif 000003
【図２】
2019154674.tif 000004
【図３】
2019154674.tif 000005
【図４】
2019154674.tif 000006
【図５】
2019154674.tif 000007
【図６】
2019154674.tif 000008
【図７】
2019154674.tif 000009
【図８】
2019154674.tif 000010
【図９】
2019154674.tif 000011
【図１０】
2019154674.tif 000012
【図１１】
2019154674.tif 000013
【図１２】
2019154674.tif 000014
【図１３】
2019154674.tif 000015